(57)【要約】      （修正有）【課題】頚椎部の伸展（後屈）位を保持し頚椎の彎曲矯正を行い、安全に頚部痛・肩こり・不眠・ストレスなどの改善が自宅で簡単に使用できる頚椎矯正枕を提供する。【解決手段】頚椎持ち上げ部２を形成する弾性体上面の前面側に、三重の円筒状弾性体２１を有し、芯部は円筒状の空洞の弾性体両側に一対のゴムチューブを挿入し、中央部に横向き空洞２６を設ける。その外周部は二重に円筒状に弾性体で形成し、円筒状弾性体２１中央部の横向き空洞２６にポケット２５を有し、取り外し自在な頚骨持ち上げ円筒状バッド２７を設ける。弾性体上面の前面側から中央側に向けて上向きの曲面を設け、頚椎斜面部３前面側から中心線に沿って長手方向に空洞の縦溝３１を設け、縦溝の上面両側に頚椎椎間関節受け部３２を設け、同頚椎椎間関節受け部３２の下面に階段状斜面部３３を設けた。【選択図】図１
0003191960.tif 000002
【実用新案登録請求の範囲】
【請求項１】
頚椎持ち上げ部を形成する弾性体上面の前面側に、三重の円筒状弾性体を有し，芯部は円筒状の空洞の弾性体両側に一対のゴムチューブを挿入し、中央部に横向き空洞を設け、その外周部は二重に円筒状に弾性体で形成し、前記円筒状弾性体中央部の横向き空洞にポケットを有し、取り外し自在な頚骨持ち上げ円筒状バッドを設け、前記弾性体上面の前面側から中央側に向けて上向きの曲面を設け、頚椎斜面部前面側から中心線に沿って長手方向に空洞の縦溝を設け、縦溝の上面両側に頚椎椎間関節受け部を設け、同頚椎椎間関節受け部の下面に階段状斜面部を設けたことを特徴とする頚椎矯正枕。
【請求項２】
頭部支持部を形成する弾性体上面の中央側から後面側の平坦部中央に後頭部を納める下向きの裁頭略半球状の穴を有し、穴の窪みに後頭支持部を設け後頭支持部の両側に後頭側面サポート部を形成した請求項１に記載の頚椎矯正枕。
【請求項３】
弾性体上面部は弾性体の芯部よりも柔らかい弾力体で覆われ、弾性体の枕の表面は布で被覆している請求項１又は請求項２に記載の頚椎矯正枕。
【考案の詳細な説明】
【技術分野】
【０００１】本考案は、頚椎の矯正や姿勢の矯正に用いる頚椎矯正枕に関する。
【背景技術】
【０００２】従来の頚椎矯正具（特許公開２０１１−１６７３２５号公報）は弾性を有する直方体で中央長手方向に貫かれた溝に形成された後頭部落ち込み部に後頭部を載せ、頚部受部に頚部を載せることにより頭部の重量で乳様突起置部を支点に、顎が上がり、頚椎を伸ばしていたが実用上不十分である。【０００３】頚椎は重い頭部を後方で支えるため彎曲（生理的前彎）を形成しているが、日常生活の活動性の低下及び前傾を伴う不良姿勢から、頭部の重量に耐えかねて頚椎の彎曲（生理的前彎）が減少し，頚部痛・肩こり・不眠・自律神経失調症等を招く。頸椎の前傾姿勢が習慣化すると頚椎環軸関節（第１頚椎・第２頚椎）に前下方の移動が起こり上位頚椎（第１頚椎・第２頚椎）から下位頚椎への前方移動を誘発し、頚椎の彎曲（生理的前彎）の減少からストレートネックへ移行する。【０００４】最近高めの枕を愛用される方も多く見られるが、後頭部を上げて顎を引くポジションは気道を圧迫しストレートネックを誘発して正常な頚椎の生理的前彎を損なう原因になる。
解剖学的に後頭部の形状、後頭部から第７頚椎の長さ・頚椎彎曲の状況に鑑み、これらの状態に適した枕の高さ、形状が求められている。【０００５】ストレートネックは病名でなくレントゲンを撮ると頚椎の平坦化、頚椎症等の疾患があり、治療は鎮痛剤、頚椎の牽引、温熱療法等の対症療法が主でこれという治療法がなかった。また、ストレートネックの矯正は、頚椎の生理的前彎を維持する観点から重要であり頚椎矯正用枕の開発が求められていた。【０００６】従来の枕は、誰にでも合う枕をコンセプトに商品化されていたので枕サイズの基準がなく規格が大まかであった。【０００７】また、従来の技術では生活習慣での不良な前傾姿勢から生じた頚椎配列の歪を、本来の解剖学的な状態に戻し頚椎の生理的前彎を保持することができなかった。【０００８】また、頚椎矯正用枕の構造が一体式であり、メンテナンスや使用者の枕高の調整ニーズに対応できなかった．【０００９】頚椎の彎曲の保持にはベッドから後頭部の高さ、頚椎アーチの高さのバランスを考慮して頚部の荷重配分を調整する必要がある。
【先行技術文献】
【特許文献】
【００１０】
【特許文献１】特許公開２０１１−１６７３２５号公報
【００１１】
【考案の概要】
【考案が解決しようとする課題】
【００１２】人体は背骨がゆるやかなＳ字状を描くような正しい姿勢（生理的前彎）を維持し続けるのは非常に困難であるが、頚椎彎曲の減少傾向を防ぐには、頚椎矯正用枕を使用し就寝時にやや顎を上げ気道を確保し頸椎の生理的前彎を保つ姿勢で、後頭部と頚部との隙間を埋め酷使し緊張した関節、筋肉を体める必要がある。
従来の枕は頚の生理的前彎を保持し頚アーチを形成する設計に乏しく、複数の低反発スポンジを接着固定していたので、枕高の調整時に材料の交換が困難で、また、枕高を調整する骨枕の交換に手間がかかり、さらに、低反発スポンジは夏場に蒸れ等の問題点があった。また、枕サイズの基準が曖昧で首アーチの高さを無視した設定になっていた。【００１３】頸椎の生理的前彎の矯正には、就寝時に枕で頚椎彎曲を矯正するのが解剖学的にも合理的である。【００１４】頸椎の生理的前彎を形成する合理的な方法は、可動性の少ない第２頚椎・第３頚椎を支点に頚椎部を持ち上げ可動域のある上位頚椎（第１頚椎〜第２頚椎）・下位頚椎（第３頚椎〜第７頚椎）を放射状・弓状に伸ばす必要がある。【００１５】従来の頚椎矯正用枕の問題点は、柔らかい低反発材で後頭部・頚部の隙間を埋めているので、後頭部・頚部の骨格の支えがなく後頭部に圧力が集中し、頚椎部が沈んだ状態になり頚椎彎曲の矯正保持ができなかった。【００１６】  クッショシ性の主流であるウレタンが反発性に富みながらも劣化しやすく、通気性や、環境安全性の面でも課題があった。環境に優しいリサイクルが可能な材料が求められている。【００１７】また、頚椎用矯正枕は頚椎を下から持ち上げ生理的前彎の保持を行うので、枕と外後頭隆起、頚椎棘突起部の不快な圧迫を防ぎ使用感を高めなければならない。【００１８】頚椎彎曲部の保持を行うには頚椎部に頚椎椎間関節受部を設け、頚椎を下からアーチ状に持ち上げる際に頚椎部に負担のかからないようにしなければならない。【００１９】頚椎用矯正枕を側臥位で使用した場合、耳の圧迫が少ない材料の選択も必要である。
また、枕高をベッドと頚椎部が平行になる高さにする必要がある。【００２０】さらに、使用される方の頚椎彎曲の年次的体形変化等、加齢に対応した枕高の調整が必要になり、組み立て式でパーツの交換が容易で頚椎の高さ調整が簡単にでき通気性もよく、メンテナンスが可能で自然環境に優しい枕が求められている。【００２１】  現在枕サイズの基本的な設定基準がないので、首アーチ（頸椎弧）の平均的数値を評価して定める必要もある。【００２２】枕の構造を一体式ではなくて芯部材料に表面の材料を組立式にして、枕高調整やメンテナンスのことも考慮する必要がある。【００２３】上記弾性体上面部は前期弾性体の芯部形成部よりも柔らかい弾力帯で覆われていなければならない。【００２４】本考案はこれらの課題を解決することを目的とするもので、円筒状弾性体で上位頸椎を持ち上げることで頚椎部の伸展（後屈）位を保持し，頭部支持部を形成する弾性体上面の中央側から後面側の平坦中央部に後頭部を納める下向きの裁頭略半球形の穴を有し、穴の窪みに後頭支持部を設けて後頭部を納め頚椎の彎曲形成を行い、安全に頚部痛・肩こり・不眠症等の改善が自宅で簡単に使用できる頚椎矯正枕を提供することを目的とする。
【課題を解決するための手段】
【００２５】以上の課題を解決するために、本考案は、頚椎持ち上げ部を形成する弾性体上面の前面側に、三重の円筒状弾性体を有し，芯部は円筒状の空洞の弾性体両側に一対のゴムチューブを挿入し、中央部に横向き空洞を設け、その外周部には二重に円筒状に弾性体で形成し、前記円筒状弾性体中央部の横向き空洞にポケットを有し、取り外し自在な頚骨持ち上げ円筒状バッドを設け、前記弾性体上面の前面側から中央側に向けて上向きの曲面を設け、頚椎斜面部前面側から中心線に沿って長手方向に空洞の縦溝を設け、縦溝の上面両側に頚椎椎間関節受け部を設けると共に同頚椎椎間関節受け部の下面に階段状斜面部を設けたものである。【００２６】ここで、好ましい態様として、頭部支持部を形成する前記弾性体上面の中央側から後面側の平坦部中央に後頭部を納める下向きの裁頭略半球形の穴を有し、穴の窪みに後頭支持部を設け、後頭支持部の両側に一対の後頭側面サポート部を形成した。
また、半球形の穴の上部には通気性、体圧分散に優れたフユージョン（立体編物）を設け、後頭側面サポート部にはブレスエアー（網状弾性体）で形成した。
【考案の効果】
【００２７】本考案は、生活習慣での不良な前傾姿勢から生じた頚椎配列の歪み（ズレ）、頚椎彎曲の低下（頚椎の平坦化）及び頚の傾き（斜頚）を、本来の解剖学的な状態に戻し頚椎の生理的前彎を保持することができる。
また、生理的前彎及び頚椎の彎曲を形成する芯部材料に粘弾性衝撃吸収材を使用したので違和感なく使用できる。
首アーチを形成する芯部構造の上部の頚椎持ち上げ部、頚椎斜面部に新材料フユージョン（立体編物）を設け、後頭側面サポート部にブレスエアー（網状弾性体）を設け２本の紐で固定した枕で、パーツを組み立て式にしたので作業工程の短縮となり、また、枕高を調整する頚骨持ち上げ円筒状パッドの収納部の横向き空洞を着脱自在なポケット式にしたので枕高のパーツの交換が簡単で、さらに、通気性、体圧分散に優れたフユージョン、ブレスエアーの新材料を使用したので夏場の蒸れを緩和できる頚椎矯正用枕を提供できるようになった。【００２８】本考案は以上説明したように、頚椎伸展（後屈）及び屈曲（前屈）の動きの５０％は上位頸椎（第１頚椎〜第２頚椎）で行われ、下位頚椎（第３頚椎〜第７頚椎）も頚椎伸展（後屈）及び屈曲（前屈）に顕著に関与するので、関節可動域の少ない第２頚椎〜第３頚椎部を支点に円筒状弾性体で頚椎部を持ち上げ、関節可動域が顕著な上位頸椎（第１頚椎〜第２頚椎）及び下位頚椎（第３頚椎〜第７頚椎）を放射状、弓状の伸ばすことが頚椎彎曲の矯正には合理的である。
本考案により、後頭部を後頭部支持部に載せ使用者に顎を上げた状態で楽にしてもらうと、頚椎の生理的前彎を保持した状態で第２頚椎〜第３頚椎部を支点に円筒状弾性体が頚椎部を保持し、頭部及び頚部の重量で後頭部から頚部がゆっくり下がり、円筒状弾性体及び頚椎斜面部に持ち上げる力が作用し頚椎部を放射状、アーチ状に伸ばして、自然に反り返りが生じ生理的前彎が形成され頚部の彎曲を本来の状態に戻すことができる。
仰臥位での頚椎矯正枕での矯正力をやや強めた場合でのストレートネックの方の使用前と使用後の頚骨の状況をレントゲンで検証した。
その結果、第１頚椎〜第７頚椎での個々の椎骨の傾斜角度を測るとその角度は合計３８度増加した。また、第１頚椎〜第７頚椎の椎骨全縁での頚椎アーチの長さが２ｍｍ〜３ｍｍ増加。
さらに、頚椎上の頭部のバランスは、頭部を座位側面から見ると頭部の重心は後頭骨の後頭顆の前上方のトルコ鞍に位置し、支点はこの後方で後頭骨の後頭顆にある。従って頭部の重心が頚椎の前方にあるので、前屈時には前下方の応力が正中環軸関節に作用すると環椎（第１頚椎）は“うなずき運動“が起こり軸椎（第２頚椎）にも“うなずき運動“の連鎖が生じ、その結果、生理的前彎の平坦化を招くが、前述のように、後頭支持部に後頭部を納め円筒弾性体で頚椎を持ち上げ頚椎の生理的前彎を保持することで、頚椎上の頭部のバランスを改善する効果も合わせもっている。【００２９】頚椎の生理的前彎の保持には、頚椎の負担を考慮し、ベッドから後頭部の高さ、頚椎アーチ部の高さのバランスを調整する必要がある。因みに、一般的な低反発枕の後頭部と頚部の加重配分は９：１である。そこで性別による頚椎アーチ高の平均値を見ると女性３ｃｍ男性４ｃｍで、後頭部と頚部の加重配分を研究した結果、６：４の比率が最適であることが分かった。【００３０】また、頚椎部の痛み症状に適した頚椎アーチの保持を調整する必要がある。
頚部痛が顕著な方は後頭部と頚椎の加重配分は７：３。頚椎が過敏で頚部痛が顕著な方は、頚椎持ち上げ円筒状パッドを外して後頭部と頚椎の加重配分８：２が適している。【００３１】また、本考案を実施し生理的前彎を保持することで、環椎後頭関節・環軸関節（正中環軸関節・外側環軸関節）・椎間関節の滑り、椎間板のクッション、関節可動域が改善する。【００３２】円筒状弾性体は頚部を持ち上げ頭部を回転し頭部を下げ、後頭部と頚部との伸展（後屈）位の保持の要となる。【００３３】また、弾性体上面の前面側に円筒状弾性体を設け、前記弾性体上面の前面側から後面側に向けて上向きの曲面を形成し、前記弾性体の円筒状中央部には、横向き空洞（穴）を配列し前面側から中心線に沿って長手方向に頚椎棘突起を納める空洞の縦溝（穴）を設け、横向き空洞（穴）にポケットを有し脱着自在な頚骨持ち上げ円筒状パッドを設けることで頚椎の生理的前彎の保持をおこない枕の高さ調整も兼ね備え、空洞の縦溝下部から中央部にかけて外後頭隆起・上位頸椎の棘突起部を納め縦溝の両端に頚椎椎間関節受部を設け、頚椎椎間関節受部の下面に階段状斜面部を設けたので、頚部を違和感なく保持し頚部の彎曲（生理的前彎）の矯正を行うことが出来た。【００３４】円筒状弾性体中央の横向き空洞（穴）には、着脱自在なポケットを設けることで、頚骨持ち上げ円筒状パッドの交換が簡単にできる。【００３５】ゴムチューブは頚椎持ち上げ部の要で、使用時に頚椎アーチ部のフィット感を向上させ材料のヘタリを防ぎ芯部の弾性の確保に効果がある。【００３６】頚椎斜面部は頚椎を保持する土台になる。【００３７】前記弾性体上面の前面側から中央側に向けて上向きの曲面を形成し、前面側から中心線に沿って長手方向に空洞の縦溝に外後頭隆起部、頚椎棘突起部を納めたのでフィット感に優れている。【００３８】前記弾性体上面の前面側から中央側に向けて上向きの曲面を設け、頚椎斜面部前面側から中心線に沿って長手方向に空洞の縦溝を設け、縦溝の上面両端に頚椎椎間関節受部を設け、頚椎椎間関節受部の下面に階段状斜面部を設けたのでたので、中心線に沿って長手方向に空洞の縦溝に無理なく安定した状態で頚椎保持を行うので頚部での座りも良い。【００３９】円筒状弾性体中央の横向き空洞にポケットを有し低反発材を粘弾性衝撃吸収材で形成し、取り外し自在な頚骨持ち上げ円筒状パッドを設けたので、パーツサイズの交換により枕高の調整が簡単にできた。【００４０】また、横向き空洞に低反発材を粘弾性衝撃吸収材で形成しているので、椎骨との接触がソフトで頚椎部のフィット感にも優れる。【００４１】枕の中央部が凹んでいるので、枕を側臥位で使用した場合耳の圧迫が少なく気持ちが良い。【００４２】頭部支持部を形成する前記弾性体上面の中央側から後面側の平坦部中央に後頭部を納める下向きの裁頭略半球状の穴を有し、穴の上部に通気性、体圧分散に優れ、環境に優しいリサイクルが可能なフユージョン（立体編み物）を後頭支持部に設けた。従って耐圧分散性で後頭部を支えるので後頭部がフィットして頭部が逃げず頚椎のすわりも良い。【００４３】頭部支持部を形成する前記弾性体上面の中央側から後面側の平坦部中央に後頭部を納める下向きの裁頭略半球状の穴を有し、穴の上部に窪みにフユージョン（立体編み物）を後頭支持部を設け、後頭支持部の両側に１対の後頭側面サポート部を形成したので利用者の後頭部・側頭部も安定する。【００４４】後頭側面サポート部には適度に厚みがあり、軽量、高反発で通気性、支持性に優れた特性を持つブレスエアー（網状弾性体）を使用している。【００４５】この頚椎用枕は頚部及び後頭骨の隙間を違和感なく保持するために上面部は通気性、体圧分散に優れたフユージョン（立体編み物）、ブレスエアー（網状弾性体）を使用したので適度な柔らかさを持ち、頚部の芯部は頚椎彎曲を保持するためにやや硬めの耐圧分散が可能な筋肉の特性を持つ粘弾性衝撃吸収材で形成されている。これは、外圧を受けるとゆっくり変形してゆっくり元の形に復元することで衝撃を吸収するとともに高い弾性効果によって圧力を均一に分散するので後頭部がフィットして頭部が逃げず頚椎の座りも良い。
また、弾性体の本体は吸湿性の良い布で覆った。【００４６】前述のように頚椎用枕を頚椎持ち上げ部、頚椎斜面部、頭部支持部で形成したので、
ソフト、ハードの二面を選択使用できる。表面の枕高は低めでソフト、裏面の枕高は高めでハードになる。【００４７】弾性体本体の構造はメンテナンス及びパーツの交換を考慮し枕高の調整を簡単にするために、芯部構造には頚椎持ち上げ部、頚椎斜面部、頭部支持部を設け、その上面部にフユージョン（立体編み物）、ブレスエアー（網状弾性体）を２本の紐で固定した。【００４８】今まで枕サイズの客観的な基準が無かったので枕サイズを数値化し新基準を設けた。
アーチの高さ、外後頭隆起から頚椎（第１頚椎〜第７頚椎）の長さを基準に枕サイズを設定し数値化することで、医学的にお客様に最適な枕の提供が出来るようになる。【００４９】正しい枕の合わせ方は仰臥位で、後頭部を枕に載せ目が天井を見て顎が上がり喉を圧迫しない状態であるが、
枕高は仰向けでベッドから後頭骨の高さを基準に頚椎弧（頚アーチ）の高さを決める。
仰臥位での頚椎弧（頚アーチ）の高さの平均値は女性で３ｃｍ、男性で４ｃｍである。
後頭骨の高さが高くなればそれに伴い頚椎弧（頚アーチ）も平均値より高くなる。
枕の奥行は、後頭骨外後頭隆起から頚椎（第１頚椎〜第７頚椎）の長さで決まる。
枕サイズの基準となる頚椎弧（頚アーチ）の高さを見ると、頚椎弧（頚アーチ）の平均値は女性３ｃｍでそれをＭサイズとし５ｍｍ単位で枕サイズ決定し、Ｓ：２．５ｃｍ（低め）・Ｍ：３ｃｍ（普通）・Ｌ：３．５ｃｍ（やや高め）・ＬＬ：４ｃｍ（高め）・３Ｌ：４．５ｃｍ（猫背の方）とした。
ベッド（布団）に仰臥位の状態で、頚椎弧（頚アーチ）−後頭骨の高さ＝枕サイズとなる。
また、解剖学的な性別による後頭骨、頚椎の形状、長さは決まっているので、セミオーダーで作ることができる。【００５０】また円筒状弾性体の径を、Ｓ：３ｃｍ・Ｍ：３．５ｃｍ・Ｌ：４ｃｍ・ＬＬ：４．５ｃｍ・３Ｌ：５．ｃｍにすることで最適な枕高を誰にでも合わせることができる。【００５１】ＳからＭへサイズが大きくなると、後頭骨から頚椎の長さも１ｃｍ毎に枕の横幅も増加していく。【００５２】医学的に関節リウマチの方で環軸関節の黄靭帯の弛緩による環軸椎不安定症（頚部前屈で環椎前弓は歯突起に対して前下方へ移動）があるが、本頚椎矯正枕を使用すると環椎前弓は歯突起に対して後方へ矯正できるのでリウマチの方の環軸椎不安定症の予防に効果がある。【００５３】さらに、脳血管障害から生じる片麻痺の方で頚椎が患側へ傾斜するが、裁頭略半球状の穴部中央下部の横断面にある後頭支持部に後頭部を納めることで頭部を中央部へ寄せる作用が働き、矢状面での頚椎上の頭部のバランスが改善するので斜頚を矯正し、また斜頚の予防にも効果がある。【００５４】また、骨格の構造上頭部は前部に頚椎部は後部に位置するので、前傾姿勢を習慣づけて生活すると頭の重心はトルコ鞍、支点は後頭骨の後頭顆にあり、回転モーメントにより頭部（後頭骨の後頭顆は後方）は前方に、頚椎（環軸関節）は前下方に倒れ（うなずき運動）ストレートネックを誘発し、頚部痛・肩こり・不眠・ストレスの一因になっていたが本発明の頚椎矯正枕を使用することで、頚椎の生理的前彎が回復し本来の解剖学的な状態に戻すことで体の健康（恒常性）に貢献する。
【図面の簡単な説明】
【００５５】
【図１】本考案を実施するための形態を示す頚椎矯正枕の内部を斜線で図示する斜視図である。
【図２】本考案を実施するための形態を示す頚椎矯正枕の外部斜視図である。
【図３】本考案を実施するための形態を示す頚骨持ち上げ円筒状パッドの斜視図である。
【図４】本考案を実施するための形態を示す頚椎矯正枕の側面図である。
【図５】考案を実施するための形態を示す頚椎矯正枕の使用時の側面図である。
【考案を実施するための形態】
【００５６】以下、図面に記載の考案を実施するための形態に基づいて図１から図５を参照して、本考案をより具体的に説明する。
【実施例】図において、頚椎矯正枕１は、頚椎を放射状、弓状に牽引することで、理想的な頚椎の彎曲の回復により頚椎の生理的前彎の保持を行い、安全に頚部痛・肩こり・不眠症等の改善を図ることができる特徴を有する。頚椎矯正枕１は、頚部及び後頭部を違和感なく保持するために、平面から見て、枕の長手方向となる首側が支えられる前部側から後頭部が支えられる後部側に向けて、頚椎持ち上げ部２、頚椎斜面部３及び頭部支持部４から構成される。【００５７】頚椎持ち上げ部２は、例えば三重の円筒状弾性体２１を有している。円筒状弾性体２１はその芯方向が頚椎矯正枕１の幅方向に向けて配置されている。つまり円筒状弾性体２１は頚椎矯正枕１に対して横向きに配置されている。円筒状弾性体２１は、その円筒部中央が第２頚椎、第３頚椎の支点になり、頚椎が上位頸椎から下位頸椎へ放射上、弓状に伸長される。
円筒状弾性体２１は頚椎を持ち上げ頚椎・後頭部の伸展（後屈）位を保持するので頚椎彎曲矯正が可能になる。【００５８】円筒状弾性体２１は、その芯中心部分には左右両側に分割された一対の円筒状のゴムチューブ２２が設けられ、ゴムチューブ２２の外周部にはこれよりも柔らかい円筒状にまかれた高弾性スポンジ２３で構成され、さらに高弾性スポンジ２３の外周側はこれよりも反発が低い円筒状に巻かれた低反発フォーム２４で形成され，三重構造から構成される。【００５９】ゴムチューブ２２は内部が中空の空洞になっている。ゴムチューブ２２はその中央から左右に２分割されていて、左右一対のものから構成される。ゴムチューブ２２は頚椎持ち上げ部２の要で、また、その芯部材にもなり、使用時の頚椎アーチ部のフィット部を向上させ円筒状弾性体２１のヘタリを防ぎ、適度の弾力を有している。【００６０】  円筒状弾性体中央の横向き空洞２６には頚骨持ち上げ円筒状バッド２７を収納し取り外し自在なポケット２５を設けている。枕サイズ（枕高）の調整は頚骨持ち上げ円筒状バッド２７のサイズで簡単に調整できる。【００６１】椎骨持ち上げ円筒状バッド２７はその芯中心部分には低反発材２７ａが設けられ、円筒状に巻かれた粘弾性材衝撃吸収材２７ｂで形成されているので気持ちが良い。椎骨持ち上げ円筒状バッド２７は左右両側に設けられたゴムチューブ２２の直径より小さく、頚椎矯正枕１を側臥位で使用した場合に耳への圧迫感を軽減できる。【００６２】頚椎斜面部３は、後頭骨の外後頭隆起の凸部及び頚椎棘突起を納める土台になるもので、頭部支持部４に向けてその上面側は斜め下向きの弧状に傾斜している。この頚椎斜面部３の中央には頚椎持ち上げ部２から頭部支持部４に向けて空洞の縦溝３１が形成されている。
この空洞の縦溝３１は外後頭隆起及び頚椎棘突起を納めるのでフィット感に優れている。【００６３】この空洞の縦溝３１を挟んで、その上面両側には頚椎椎間関節受け部３２が設けられている、外後頭隆起及び頚椎棘突起を納める空洞の縦溝３１とその上面両側の頚椎椎間関節受部３２により、頚椎の座りは良好となる。【００６４】フユージョン２８ａの下面側には筋肉の特性を持つ粘弾性衝撃吸収材３４ａが設けられている。
粘弾性衝撃吸収３４ａはその一端は円筒状弾性体２１の外周側面に接し、頚椎持ち上げ部２、から頚椎斜面部３まで覆っている。【００６５】粘弾性衝撃吸収材３４ａの下面側には、その中央に上記の空洞の縦溝３１が形成されている。
空洞の縦溝３１を挟んでその両側には粘弾性衝撃吸収材３４ｂが設けられている。この粘弾性衝撃吸収材３４ｂはその上面側の粘弾性衝撃吸収材３４ａよりもやや硬く、その材料にはポリウレタンが使用されている。粘弾性衝撃吸収材３３ｂの一端は円筒状弾性体２１の外周側面に接し、他端側は楔状に頭部支持部４に向けてその厚みが一定の直線状の割合で徐々に薄くなって接している。【００６６】空洞の縦溝３１は、その左右の両内側面が左右の粘弾性衝撃吸収材３４ｂの内側の側面によって形成されている。空洞の縦溝３１は所謂蟻溝になっていて、左右の両内側面は上方に向けて溝の内側にむかって傾斜していて、空洞の縦溝３１の溝上面は溝下面に比べて高くなっている。縦溝３１は左右両側面が左右の粘弾性衝撃吸収材３４ｂで塞がれ、上面が粘弾性衝撃吸収材３４ａで塞がれ、その下面が後述の階段状斜面部３３によって塞がれていて、空洞に形成されている。【００６７】空洞の縦溝３１及び左右の粘弾性衝撃吸収材３４ｂの下面側には階段状斜面部３３が設けられている。この階段状斜面部３３は衝撃吸収材が使用されている。
また、階段状斜面部３３の一端は円筒状弾性体２１の外周面に接し、多端側は、頭部支持部４側に向けてその上面が階段上に下りて薄くなって接している。また、階段状斜面部３３は頚椎持ち上げ部２、頚椎斜面部３の頚部アーチを支える土台なり、この、階段状の凸凹構造が枕使用時の頚部の衝撃を吸収しフィット感、使用感が向上する。【００６８】この頚椎矯正枕１は、前述したように、芯部分が空洞の円筒状弾性体２１を有し、芯部分の空洞の両側に一対のゴムチューブ２２を設け、椎骨持ち上げ円筒状バッド２７を納める横向き空洞２６と空洞の縦溝３１を形成したので、使用時の頚椎の棘突起の圧迫を和らげ、また、頚椎部及び後頭部の隙間がなくなり形状に適合して頭部が逃げずに頚椎部の座りもよい。
また、側臥位で使用する場合、耳の圧迫が緩和されソフトなフィット感が得られる。【００６９】  左右の後頭側面サポート部４２には頭部の球状を覆うように形成されたブレスエアー４２ａを有し下面には、同様に中央に上記穴４１ａを覆うフユージョン２８ｂが設けられているので、後頭支持部４１の穴４１ａにより後頭部が逃げずに頚椎部の座りも良い。【００７０】頭部支持部４は、低反発フォーム２４上面の中央に形成された後頭支持部４１の穴４１ａの上部にフユージョン２８ｂを設け後頭部を納めて支持する。【００７１】  前述した頚椎持ち上げ部２、頚椎斜面部３及び頭部支持部４の外周部には前記の円筒状弾性体２１の高弾性スポンジ２３と同じ硬さの高弾性スポンジ２３が環状に形成されている。
高弾性スポンジ２３は頚椎矯正枕１の前面側、上面側、後面側、底面側のすべてを囲んでいる。この頚椎矯正枕１は布で被覆われている。【００７２】  枕の芯部はヘタリの少ない材料を使用しているが、材料劣化時の上面の枕材料の交換は枕の外周部を環状に覆う高弾性スポンジ２３を外し、芯部に固定しているブレスエアー４２ａ、フユージョン２８ａ・２８ｂの２本の紐を外すことで枕の上面材料の交換が簡単にできる。【００７３】また、枕高の簡単な調整は、枕の外周部を環状に覆う高弾性スポンジ２３を中央までめくり円頭状弾性体２１中央に設けたポケット２５から、椎骨持ち上げ円筒状パッド２７を取り出すことでサイズ交換が簡単にできた。【００７４】  次に、上記考案を実施するための形態の構成に基づく頚椎矯正枕１の使用方法について以下説明する。
本考案により、後頭部を後頭部支持部に載せ使用者に顎を上げた状態で楽にしてもらうと、頚椎の生理的前彎を保持した状態で第２頚椎〜第３頚椎部を支点に円筒状弾性体が頚椎部を保持し、頭部及び頚部の重量で後頭部から頚部がゆっくり下がり、円筒状弾性体及び頚椎斜面部に持ち上げる力が作用し頚椎部を放射状、アーチ状に伸ばして、自然に反り返りが生じ生理的前彎が形成され頚部の彎曲を本来の状態に戻すことができた。
後頭部を後頭支持部４１の穴４１ａに納め、頚椎斜面部３の上側に後頭部下縁を載せ
首の後面側を頚椎矯正枕１の頚椎持ち上げ部２の円筒状弾性体２１の上側に載せた。
このようにして、仰臥位で、後頭部を後頭支持部４１の穴４１ａに納めやや顎を上げ頚椎の生理的前彎を保持した状態で円筒状弾性体２１が頚椎部を保持し、頭部及び頚部の重量で後頭部から頚部がゆっくり下がり、円筒状弾性体２１及び頚椎斜面部３に持ち上げる応力が作用し頚椎が放射上、弓状に牽引されることで、頚椎の配列を整え、頚椎持ち上げ部２及び頚椎斜面部３に首の頚椎の生理的前彎が無理なく形成され、寝ながらに頚椎彎曲の矯正保持が可能になる。
また、頚椎矯正枕１を下にずらして、後頭部を後頭支持部４１の上へ移動することで円筒状弾性体２１により下位頚椎の彎曲矯正もできる。
さらに、頚椎矯正枕１の別な使用方法として、頚椎矯正枕１を裏返すことでソフト、ハードの二面を選択使用ができる。
前述のように、弾性体表面は芯部より軟らかい弾力対で覆われ下向きの裁頭略半球状の裏面穴４１ａの窪みに後頭部を納め、また、裏面は芯部材料に近く後頭支持部４１の裏面穴４１ａも小さくなるので、表側の枕高は低めで材料は柔らかめで、裏側の枕高はやや高めで材料はやや固めになる。
【符号の説明】
【００７５】１        頚椎矯正枕
２        頚椎持ち上げ部
２１      円筒状弾性体
２２      ゴムチューブ
２３      高弾性スポンジ
２４      低反発フォーム
２５      ポケット
２６      横向き空洞
２７      頚骨持ち上げ円筒状パッド
２７ａ    低反発材
２７ｂ    粘弾性衝撃吸収材
２８ａ    フユージョン
２８ｂ    フユージョン
３        頚椎斜面部
３１      空洞の縦溝
３２      頚椎椎間関節受け部
３３      階段状斜面部
３４ａ    粘弾性衝撃吸収材
３４ｂ    粘弾性衝撃吸収材
４        頭部支持部
４１      後頭支持部
４１ａ    穴
４２      後頭側面サポート部
４２ａ    ブレスエアー
６        布
【図１】
0003191960.tif 000003
【図２】
0003191960.tif 000004
【図３】
0003191960.tif 000005
【図４】
0003191960.tif 000006
【図５】
0003191960.tif 000007